(57)【要約】【課題】手間のかからない簡単な方法でユーザに所持品を適切に所持させることが可能な忘れ物防止システム、忘れ物防止装置及びプログラムを提供する。【解決手段】ユーザＰが携行する携帯情報端末１は、周囲の状況に関する状況情報と、その状況情報に対応する所持品５にビーコン端末６のビーコンＩＤとを対応付けて記憶する携帯品リスト３４と、所持品５に対応するビーコンＩＤを受信する受信部１１と、状況情報を取得する状況取得部１２と、受信部１１によるビーコンＩＤの受信結果及び状況取得部１２により取得した状況情報が、携帯品リスト３４の情報と一致するか否かを判定する条件判定部１３と、条件判定部１３の判定結果に応じて、更新のための報知及び携帯品リスト３４の更新の少なくとも一方を行う条件結果部１６とを備える。【選択図】図１
2017049668.tif 000002
【特許請求の範囲】
【請求項１】
自身の識別情報を発信する携帯品と、
忘れ物防止装置と、
を備えた忘れ物防止システムであって、
前記忘れ物防止装置は、
周囲の状況に関する状況情報と、その状況情報に対応する前記携帯品の識別情報とを対応付けて記憶する条件記憶部と、
前記携帯品から前記識別情報を受信する受信手段と、
状況情報を取得する状況取得手段と、
前記受信手段による前記識別情報の受信結果及び前記状況取得手段により取得した前記状況情報が、前記条件記憶部の情報と一致するか否かを判定する条件判定手段と、
前記条件判定手段の判定結果に応じて、更新のための報知及び条件記憶部の更新の少なくとも一方を行う条件結果手段と、
を備えること、
を特徴とする忘れ物防止システム。
【請求項２】
請求項１に記載の忘れ物防止システムにおいて、
前記忘れ物防止装置は、前記携帯品を記憶する携帯品記憶部を備え、
前記忘れ物防止装置の前記条件結果手段は、前記条件判定手段による判定の結果、前記状況情報が条件記憶部に含まれ、かつ、その状況情報に対応する前記識別情報を受信していない場合に、前記携帯品記憶部を参照して、前記識別情報に対応する前記携帯品を報知すること、
を特徴とする忘れ物防止システム。
【請求項３】
請求項１又は請求項２に記載の忘れ物防止システムにおいて、
前記忘れ物防止装置の前記条件結果手段は、前記条件判定手段による判定の結果、前記状況情報が条件記憶部に含まれ、かつ、その状況情報に対応する前記識別情報とは異なる他の前記識別情報を受信した場合に、前記条件記憶部の前記状況情報に前記他の識別情報を記憶させること、
を特徴とする忘れ物防止システム。
【請求項４】
請求項１から請求項３までのいずれかに記載の忘れ物防止システムにおいて、
前記忘れ物防止装置は、
前記受信手段により受信した前記識別情報と、前記状況取得手段により取得した前記状況情報とを対応付けた履歴情報を記憶する履歴情報記憶部と、
前記履歴情報記憶部に記憶された前記履歴情報をもとに、前記条件記憶部の情報を作成して前記条件記憶部を更新する条件作成手段と、
を備えること、
を特徴とする忘れ物防止システム。
【請求項５】
請求項１から請求項４までのいずれかに記載の忘れ物防止システムにおいて、
前記忘れ物防止装置は、検知部を備え、
前記忘れ物防止装置の前記受信手段は、前記検知部が検知をした場合に、前記識別情報を受信すること、
を特徴とする忘れ物防止システム。
【請求項６】
請求項５に記載の忘れ物防止システムにおいて、
所定のタイミングを検知するための電波発信機を備え、
前記忘れ物防止装置の前記検知部は、前記電波発信機からの電波を受信するものであること、
を特徴とする忘れ物防止システム。
【請求項７】
請求項５に記載の忘れ物防止システムにおいて、
前記忘れ物防止装置の前記検知部は、センサであること、
を特徴とする忘れ物防止システム。
【請求項８】
請求項１から請求項７までのいずれかに記載の忘れ物防止システムにおいて、
前記忘れ物防止装置は、前記状況情報を、前記忘れ物防止装置に対して通信可能な情報サーバから取得する外部状況取得手段を備えること、
を特徴とする忘れ物防止システム。
【請求項９】
請求項１から請求項８までのいずれかに記載の忘れ物防止システムにおいて、
前記忘れ物防止装置に対して通信可能に接続された管理サーバを備え、
前記管理サーバは、前記条件記憶部を備えること、
を特徴とする忘れ物防止システム。
【請求項１０】
周囲の状況に関する状況情報と、その状況情報に対応し自身の識別情報を発信する携帯品の識別情報とを対応付けて記憶する条件記憶部と、
前記携帯品から前記識別情報を受信する受信手段と、
状況情報を取得する状況取得手段と、
前記受信手段により前記識別情報を受信した際の受信結果及び前記状況取得手段により取得した前記状況情報が、前記条件記憶部の情報と一致するか否かを判定する条件判定手段と、
前記条件判定手段の判定結果に応じて、更新のための報知及び条件記憶部の更新の少なくとも一方を行う条件結果手段と、
を備える忘れ物防止装置。
【請求項１１】
請求項１０に記載の忘れ物防止装置としてコンピュータを機能させるためのプログラム。
【発明の詳細な説明】
【技術分野】
【０００１】
本発明は、外出時等に携帯すべき所持品の持ち出し忘れを防止する忘れ物防止システム、忘れ物防止装置及びプログラムに関する。
【背景技術】
【０００２】
従来、学習者が、学校等に持ち物を置いておらず、携帯する予定でもない場合に、警告をすることで、持ち物を学校に持っていかせることができるシステムが開示されている（例えば、特許文献１）。
また、ユーザが出かける際に物品の有無を確認できるシステムが開示されている（例えば、特許文献２）。
【先行技術文献】
【特許文献】
【０００３】
【特許文献１】特開２０１３−１２５３６７号公報
【特許文献２】特開２００５−３０９８３１号公報
【発明の概要】
【発明が解決しようとする課題】
【０００４】
特許文献１に記載のものは、持ち物を学校に持って行かせ、又は、学校から持ち帰るもののリストを作成するために、様々な情報を連携させる必要があり、処理が煩雑であった。また、特許文献２に記載のものは、必要な物品や検索結果の受信希望時間等を入力するものであり、手間がかかるものであった。
【０００５】
本発明は、手間のかからない簡単な方法でユーザに所持品を適切に所持させることが可能な忘れ物防止システム、忘れ物防止装置及びプログラムを提供することを目的とする。
【課題を解決するための手段】
【０００６】
本発明は、以下のような解決手段により、前記課題を解決する。
第１の発明は、自身の識別情報を発信する携帯品と、忘れ物防止装置と、を備えた忘れ物防止システムであって、前記忘れ物防止装置は、周囲の状況に関する状況情報と、その状況情報に対応する前記携帯品の識別情報とを対応付けて記憶する条件記憶部と、前記携帯品から前記識別情報を受信する受信手段と、状況情報を取得する状況取得手段と、前記受信手段による前記識別情報の受信結果及び前記状況取得手段により取得した前記状況情報が、前記条件記憶部の情報と一致するか否かを判定する条件判定手段と、前記条件判定手段の判定結果に応じて、更新のための報知及び条件記憶部の更新の少なくとも一方を行う条件結果手段と、を備えること、を特徴とする忘れ物防止システムである。
第２の発明は、第１の発明の忘れ物防止システムにおいて、前記忘れ物防止装置は、前記携帯品を記憶する携帯品記憶部を備え、前記忘れ物防止装置の前記条件結果手段は、前記条件判定手段による判定の結果、前記状況情報が条件記憶部に含まれ、かつ、その状況情報に対応する前記識別情報を受信していない場合に、前記携帯品記憶部を参照して、前記識別情報に対応する前記携帯品を報知すること、を特徴とする忘れ物防止システムである。
第３の発明は、第１の発明又は第２の発明の忘れ物防止システムにおいて、前記忘れ物防止装置の前記条件結果手段は、前記条件判定手段による判定の結果、前記状況情報が条件記憶部に含まれ、かつ、その状況情報に対応する前記識別情報とは異なる他の前記識別情報を受信した場合に、前記条件記憶部の前記状況情報に前記他の識別情報を記憶させること、を特徴とする忘れ物防止システムである。
第４の発明は、第１の発明から第３の発明までのいずれかの忘れ物防止システムにおいて、前記忘れ物防止装置は、前記受信手段により受信した前記識別情報と、前記状況取得手段により取得した前記状況情報とを対応付けた履歴情報を記憶する履歴情報記憶部と、前記履歴情報記憶部に記憶された前記履歴情報をもとに、前記条件記憶部の情報を作成して前記条件記憶部を更新する条件作成手段と、を備えること、を特徴とする忘れ物防止システムである。
第５の発明は、第１の発明から第４の発明までのいずれかの忘れ物防止システムにおいて、前記忘れ物防止装置は、検知部を備え、前記忘れ物防止装置の前記受信手段は、前記検知部が検知をした場合に、前記識別情報を受信すること、を特徴とする忘れ物防止システムである。
第６の発明は、第５の発明の忘れ物防止システムにおいて、所定のタイミングを検知するための電波発信機を備え、前記忘れ物防止装置の前記検知部は、前記電波発信機からの電波を受信するものであること、を特徴とする忘れ物防止システムである。
第７の発明は、第５の発明の忘れ物防止システムにおいて、前記忘れ物防止装置の前記検知部は、センサであること、を特徴とする忘れ物防止システムである。
第８の発明は、第１の発明から第７の発明までのいずれかの忘れ物防止システムにおいて、前記忘れ物防止装置は、前記状況情報を、前記忘れ物防止装置に対して通信可能な情報サーバから取得する外部状況取得手段を備えること、を特徴とする忘れ物防止システムである。
第９の発明は、第１の発明から第８の発明までのいずれかの忘れ物防止システムにおいて、前記忘れ物防止装置に対して通信可能に接続された管理サーバを備え、前記管理サーバは、前記条件記憶部を備えること、を特徴とする忘れ物防止システムである。
第１０の発明は、周囲の状況に関する状況情報と、その状況情報に対応し自身の識別情報を発信する携帯品の識別情報とを対応付けて記憶する条件記憶部と、前記携帯品から前記識別情報を受信する受信手段と、状況情報を取得する状況取得手段と、前記受信手段により前記識別情報を受信した際の受信結果及び前記状況取得手段により取得した前記状況情報が、前記条件記憶部の情報と一致するか否かを判定する条件判定手段と、前記条件判定手段の判定結果に応じて、更新のための報知及び条件記憶部の更新の少なくとも一方を行う条件結果手段と、を備える忘れ物防止装置である。
第１１の発明は、第１０の発明の忘れ物防止装置としてコンピュータを機能させるためのプログラムである。
【発明の効果】
【０００７】
本発明によれば手間のかからない簡単な方法でユーザに所持品を適切に所持させることが可能な忘れ物防止システム、忘れ物防止装置及びプログラムを提供することができる。
【図面の簡単な説明】
【０００８】
【図１】第１実施形態に係る忘れ物防止システムの全体概要図である。
【図２】第１実施形態に係る忘れ物防止システムの各装置の機能ブロック図である。
【図３】第１実施形態に係る携帯情報端末の所持品テーブルと、携帯品リストとの例を示す図である。
【図４】第１実施形態に係る携帯情報端末の携帯品検査処理を示すフローチャートである。
【図５】第２実施形態に係る忘れ物防止システムの全体概要図である。
【図６】第２実施形態に係る忘れ物防止システムの各装置の機能ブロック図である。
【図７】第２実施形態に係る携帯情報端末の開始用ビーコンテーブルと履歴記憶部との例を示す図である。
【図８】第２実施形態に係る携帯情報端末の携帯品検査処理を示すフローチャートである。
【図９】第２実施形態に係る携帯情報端末での表示例を示す図である。
【図１０】第２実施形態に係る携帯情報端末での表示例を示す図である。
【図１１】第２実施形態に係る携帯情報端末の携帯品リスト変更処理を示すフローチャートである。
【図１２】第２実施形態に係る携帯情報端末の携帯品リスト作成処理を示すフローチャートである。
【図１３】第２実施形態に係る携帯品リスト作成処理を説明するための図である。
【図１４】第３実施形態に係る忘れ物防止システムの全体概要図である。
【図１５】第３実施形態に係る忘れ物防止システムの各装置の機能ブロック図である。
【図１６】第３実施形態に係る携帯情報端末の携帯品検査処理を示すフローチャートである。
【図１７】第３実施形態に係る携帯情報端末の状況情報取得処理を示すフローチャートである。
【図１８】第３実施形態に係る携帯情報端末の記憶部の例を示す図である。
【発明を実施するための形態】
【０００９】
以下、本発明を実施するための形態について、図を参照しながら説明する。なお、これは、あくまでも一例であって、本発明の技術的範囲はこれに限られるものではない。
（第１実施形態）
＜忘れ物防止システム１００の全体構成＞
図１は、第１実施形態に係る忘れ物防止システム１００の全体概要図である。
図２は、第１実施形態に係る忘れ物防止システム１００の各装置の機能ブロック図である。
図３は、第１実施形態に係る携帯情報端末１の所持品テーブル３２と、携帯品リスト３４との例を示す図である。
【００１０】
図１及び図２に示すように、忘れ物防止システム１００は、携帯情報端末１（忘れ物防止装置）と、所持品５に取り付けられたビーコン端末６とを備える。なお、ビーコン端末６が取り付けられた所持品５を、携行品ともいう。
忘れ物防止システム１００では、ユーザＰ（利用者）が携行する所持品５に対してビーコン端末６を取り付けておく。本実施形態（図１）の場合、ビーコン端末６（６Ａ〜６Ｄ）は、ユーザＰの所持品５である定期入れ５Ａ、財布５Ｂ、キーケース５Ｃ、社員証５Ｄに取り付け（設け）られている。ビーコン端末６は、例えば、キーホルダタイプや、シールタイプが用意されている。例えば、定期入れ５Ａは、キーホルダタイプのビーコン端末６が取り付けられており、財布５Ｂは、シールタイプのビーコン端末６が取り付けられている。
【００１１】
そして、携帯情報端末１は、外出時等、状況情報を取得したタイミングで、ビーコン端末６が発信する電波（以下、ビーコン端末６が発信する電波を、ビーコン電波ともいう。）を受信する。その後、携帯情報端末１は、ビーコン端末６のビーコン電波の受信状況に応じて、所持品５の携行を確認して、携行していない所持品５に関する報知したり、所持品５の携行の有無を確認するための情報を更新したりする処理を行う。
なお、以下において、ユーザＰが所持品５を携行している場合には、携行した所持品５を、特に「携帯品」という。
【００１２】
次に、各装置の構成について説明する。
＜携帯情報端末１＞
携帯情報端末１は、例えば、スマートフォンに代表されるコンピュータの機能を併せ持った携帯電話機等である。携帯情報端末１は、その他、タブレット端末等の携帯型の端末であってもよい。また、携帯情報端末１は、専用端末でもよい。
携帯情報端末１は、ビーコン端末６との間で、例えば、Ｂｌｕｅｔｏｏｔｈ（登録商標）による近距離無線通信を行うことができる。
【００１３】
図２に示すように、携帯情報端末１は、制御部１０と、記憶部３０と、タッチパネルディスプレイ４０（表示部、入力部）と、Ｂｌｕｅｔｏｏｔｈアンテナ４１とを備える。
制御部１０は、携帯情報端末１の全体を制御する中央処理装置（ＣＰＵ）である。制御部１０は、記憶部３０に記憶されているオペレーティングシステム（ＯＳ）やアプリケーションプログラムを適宜読み出して実行することにより、上述したハードウェアと協働し、各種機能を実行する。
制御部１０は、受信部１１（受信手段）と、状況取得部１２（状況取得手段）と、条件判定部１３（条件判定手段）と、条件結果部１６（条件結果手段）とを備える。
【００１４】
受信部１１は、Ｂｌｕｅｔｏｏｔｈアンテナ４１を介してビーコン端末６のビーコン電波を受信する。
状況取得部１２は、状況情報を取得する。状況情報は、例えば、日にちに関する情報（日時及び曜日）等である。
条件判定部１３は、ビーコン電波に含まれるビーコンＩＤ（ＩＤｅｎｔｉｆｉｅｒ）（識別情報）の受信部１１による受信結果と、状況取得部１２が取得した状況情報とが、携帯品リスト３４（条件記憶部）に記憶された情報と一致するか否かを判定する。
条件結果部１６は、条件判定部１３による判定結果に応じた処理を行う。条件結果部１６は、報知部１６ｂと、条件更新部１６ｃとを備える。
報知部１６ｂは、携帯品リスト３４にあり、不足している所持品名を報知する。
条件更新部１６ｃは、携帯品リスト３４にない、所持品５に対応付けられたビーコンＩＤを追加する。
所持品表示制御部１７は、所持品名を、タッチパネルディスプレイ４０に表示させる。
なお、各機能の詳細は、後述する。
【００１５】
記憶部３０は、制御部１０が各種の処理を実行するために必要なプログラム、データ等を記憶するための半導体メモリ素子等の記憶領域である。
記憶部３０は、忘れ物防止プログラム３１（プログラム）と、所持品テーブル３２と、携帯品リスト３４とを備える。
忘れ物防止プログラム３１は、携帯情報端末１の制御部１０が実行する各種機能を実行するためのプログラムである。忘れ物防止プログラム３１は、例えば、インターネット上のＷｅｂサイトからダウンロードして、予め携帯情報端末１にインストールされているものとする。
【００１６】
所持品テーブル３２は、忘れ物防止システム１００で対象とするビーコン端末６を管理するためのものである。図３（Ａ）に示すように、所持品テーブル３２は、所持品名と、ビーコン端末６のビーコンＩＤとを対応付けて記憶する。なお、図３（Ａ）は、説明のためにビーコン端末６をも記載している。
携帯品リスト３４は、忘れ物を防止するために検査時に用いるリストである。図３（Ｂ）に示すように、携帯品リスト３４は、状況情報と、所持品５に対応したビーコンＩＤとを対応付けて記憶する。
【００１７】
図２に戻り、タッチパネルディスプレイ４０は、液晶パネル等で構成される表示部としての機能と、ユーザＰからの指等によるタッチ入力を検出する入力部としての機能とを有する。
Ｂｌｕｅｔｏｏｔｈアンテナ４１は、ビーコン端末６との間でＢｌｕｅｔｏｏｔｈ規格に基づいて短距離無線通信が可能である。Ｂｌｕｅｔｏｏｔｈアンテナ４１は、受信したビーコン電波を、受信部１１に送る。
なお、コンピュータとは、制御部、記憶装置等を備えた情報処理装置をいい、携帯情報端末１は、制御部１０、記憶部３０等を備えた情報処理装置であり、コンピュータの概念に含まれる。
【００１８】
＜ビーコン端末６＞
ビーコン端末６は、本実施形態では、ユーザＰの所持品５に取り付ける端末である。そのようにすることで、ビーコン端末６は、所持品５と一体になっている。
図２に示すように、ビーコン端末６は、制御部６０と、記憶部６５と、電波送出部６７とを備える。
制御部６０は、ビーコン端末６の全体を制御するＣＰＵである。制御部６０は、記憶部６５に記憶されているＯＳやアプリケーションプログラムを適宜読み出して実行することにより、上述したハードウェアと協働し、各種機能を実行する。
記憶部６５は、制御部６０が各種の処理を実行するために必要なプログラム、データ等を記憶するための半導体メモリ素子等の記憶領域である。記憶部６５は、ビーコンＩＤ（図３（Ａ）参照）を記憶している。ビーコンＩＤは、ビーコン端末６を識別可能な識別情報である。
電波送出部６７は、ビーコンＩＤを含む電波を送出する。電波送出部６７は、制御部６０の制御によって、例えば、ビーコン端末６を中心とした半径１０ｍ以内に携帯情報端末１が存在していれば、携帯情報端末１で受信可能なＢｌｕｅｔｏｏｔｈのＣｌａｓｓ２に対応する電波を送出する。
【００１９】
＜携帯品検査処理＞
次に、携帯情報端末１による携帯品検査処理について説明する。
図４は、第１実施形態に係る携帯情報端末１の携帯品検査処理を示すフローチャートである。
本処理の前提として、携帯情報端末１は、忘れ物防止プログラム３１を起動させた状態である。携帯情報端末１は、常に忘れ物防止プログラム３１を起動させた状態であってもよい。また、携帯情報端末１の電力の消耗を防ぐため、例えば、携帯情報端末１のタイマ機能を用いて、特定の時間になったら忘れ物防止プログラム３１を起動するように設定しておいてもよい。例えば、特定の時間を、外出時間にすることで、携帯情報端末１を、外出時に忘れ物防止プログラム３１が起動された状態にできる。
【００２０】
図４のＳ１０において、携帯情報端末１の制御部１０（状況取得部１２）は、状況情報を取得する。ここでは、状況情報は、例えば、取得時の日時及び曜日に関する情報である。
Ｓ１１において、制御部１０（受信部１１）は、Ｂｌｕｅｔｏｏｔｈアンテナ４１を介して、受信可能なビーコン端末６のビーコン電波を受信する。そして、制御部１０は、ビーコン電波を受信した場合には、ビーコン電波に含むビーコンＩＤを取得する。
なお、Ｓ１０とＳ１１との処理は、同時であってもよいし、Ｓ１１の処理が先であってもよい。
Ｓ１２において、携帯情報端末１の制御部１０（条件判定部１３）は、携帯品リスト３４と、Ｓ１０で取得した状況情報及びＳ１１で取得したビーコンＩＤとを比較する。
【００２１】
Ｓ１３において、制御部１０（条件判定部１３）は、Ｓ１２での比較の結果、一致したか否かを判断する。一致した場合（Ｓ１３：ＹＥＳ）には、制御部１０は、本処理を終了する。一致した場合とは、携帯品リスト３４の状況情報と同じ状況の際に、携帯品リスト３４に記憶されたビーコンＩＤと、取得したビーコンＩＤとが一致した場合であり、ユーザＰが忘れ物をしていないと考えられる場合である。
他方、不一致の場合（Ｓ１３：ＮＯ）には、制御部１０は、処理をＳ１４に移す。
Ｓ１４において、制御部１０（条件結果部１６）は、取得したビーコンＩＤが多いか否かを判断する。取得したビーコンＩＤが多いとは、携帯品リスト３４の状況情報に対応するビーコンＩＤ以外に、さらに異なるビーコンＩＤを取得した場合をいう。取得したビーコンＩＤが多い場合（Ｓ１４：ＹＥＳ）には、制御部１０は、処理をＳ１５に移す。他方、取得したビーコンＩＤが少ない場合（Ｓ１４：ＮＯ）には、制御部１０は、処理をＳ１６に移す。
【００２２】
Ｓ１５において、制御部１０（条件更新部１６ｃ）は、携帯品リスト３４を更新する。具体的には、制御部１０は、携帯品リスト３４の状況情報に対応するビーコンＩＤに、取得したビーコンＩＤを追加する処理を行う。これは、今まではその所持品５を携行しなかったが、ユーザＰの何らかの事情により、所持品５を携行するようになった場合等に対応するための処理である。その後、制御部１０は、本処理を終了する。
他方、Ｓ１６において、制御部１０（報知部１６ｂ）は、携帯品リスト３４の状況情報に対応するビーコンＩＤであって、取得できなかったビーコンＩＤの所持品名を、所持品テーブル３２を参照して抽出し、報知情報を生成する。そして、制御部１０（報知部１６ｂ、所持品表示制御部１７）は、生成した報知情報を、タッチパネルディスプレイ４０に出力する。なお、制御部１０は、報知の出力を、携帯情報端末１の機能を生かして、例えば、バイブレーションによる報知をしてもよいし（図１参照）、音による報知をしてもよい。その後、制御部１０は、本処理を終了する。
【００２３】
このように、第１実施形態の忘れ物防止システム１００によれば、以下のような効果がある。
（１）携帯情報端末１は、携帯品リスト３４に、状況情報と、所持品５に対応するビーコン端末６のビーコンＩＤとを対応付けて記憶しておく。そして、取得した状況情報及びビーコンＩＤと、携帯品リスト３４の情報とを比較することで、携帯品リスト３４の状況情報と同じ状況の際に、携帯品リスト３４の状況情報に対応するビーコンＩＤを取得できたか否かによって、忘れ物の有無を確認できる。
（２）携帯情報端末１は、携帯品リスト３４の状況情報に対応するビーコンＩＤを取得できなかった場合には、取得できなかったビーコンＩＤに対応付けられた所持品５が分かる態様で報知する。よって、携帯情報端末１のユーザＰに、いつもは携行している携帯品がないことを報知できる。よって、忘れ物の防止を図ることができる。
【００２４】
（３）携帯情報端末１は、携帯品リスト３４の状況情報に対応するビーコンＩＤ以外であって、所持品テーブル３２に記憶されたビーコンＩＤ（「他のビーコンＩＤ」という。）を受信した場合に、他のビーコンＩＤに対応する所持品５を、携帯品リスト３４に追加させることができる。よって、所持品５が増えた場合等、ユーザＰによる所持品５の変更に対応できる。
【００２５】
（第２実施形態）
第２実施形態では、所定のビーコン電波を受信したときに、忘れ物の検査を行うものを説明する。また、所持品のビーコン電波を受信した際に履歴情報を生成し、履歴情報から携帯品リストを作成するものを説明する。なお、以降の説明において、上述した第１実施形態と同様の機能を果たす部分には、同一の符号又は末尾に同一の符号を付して、重複する説明を適宜省略する。
＜忘れ物防止システム２００の全体構成＞
図５は、第２実施形態に係る忘れ物防止システム２００の全体概要図である。
図６は、第２実施形態に係る忘れ物防止システム２００の各装置の機能ブロック図である。
図７は、第２実施形態に係る携帯情報端末２０１の開始用ビーコンテーブル２３３と履歴記憶部２３５との例を示す図である。
【００２６】
図５及び図６に示すように、忘れ物防止システム２００は、玄関ドアＤに取り付けられたビーコン端末２０７（電波発信機）を備える。
忘れ物防止システム２００では、所持品５を携帯していることを検査することで、忘れ物の有無を確認するタイミングを判断するために、ユーザＰの家の玄関ドアＤに、ビーコン端末２０７を取り付けておく。
そして、ユーザＰが外出時に携帯情報端末２０１を携行して玄関ドアＤに近づくと、携帯情報端末２０１は、玄関ドアＤに取りつけられたビーコン端末２０７が発信する電波を受信する。その後、携帯情報端末２０１は、ビーコン端末６のビーコン電波の受信状況に応じて、所持品５の携帯を確認する。
【００２７】
＜携帯情報端末２０１＞
図６に示すように、携帯情報端末２０１は、制御部２１０と、記憶部２３０と、タッチパネルディスプレイ４０と、Ｂｌｕｅｔｏｏｔｈアンテナ４１とを備える。
制御部２１０は、受信部２１１と、状況取得部１２と、条件判定部１３と、履歴更新部２１５（履歴更新手段）と、条件結果部２１６と、所持品表示制御部１７と、条件作成部２１８（条件作成手段）とを備える。
【００２８】
受信部２１１は、ビーコン端末２０７のビーコン電波を受信する。また、受信部２１１は、ビーコン端末６のビーコン電波を受信する。
履歴更新部２１５は、ビーコン端末６のビーコン電波に含むビーコンＩＤと、状況情報とを履歴情報として履歴記憶部２３５（履歴情報記憶部）に記憶させる。
条件結果部２１６は、条件判定部１３による判定結果に応じた処理を行う。
条件結果部２１６は、通知部２１６ａと、報知部１６ｂと、条件更新部２１６ｃとを備える。
通知部２１６ａは、携帯品リスト３４（検査条件情報）にはない携帯品名を通知（報知）する。
条件更新部２１６ｃは、更新指示を受け付けた場合に、携帯品リスト３４に記憶させる。
条件作成部２１８は、履歴記憶部２３５に記憶された履歴情報に基づいて、携帯品リスト３４を作成する。
なお、各機能の詳細は、後述する。
【００２９】
記憶部２３０は、忘れ物防止プログラム２３１と、所持品テーブル３２と、開始用ビーコンテーブル２３３と、携帯品リスト３４と、履歴記憶部２３５とを備える。
忘れ物防止プログラム２３１は、携帯情報端末２０１の制御部２１０が実行する各種機能を実行するためのプログラムである。
開始用ビーコンテーブル２３３は、忘れ物防止システム２００での検査を開始するためのビーコン端末２０７を管理するためのものである。図７（Ａ）に示すように、開始用ビーコンテーブル２３３は、ビーコン端末２０７のビーコンＩＤを記憶する。
履歴記憶部２３５は、状況情報を取得したときに、取得したビーコン端末６のビーコンＩＤを記憶する。図７（Ｂ）に示すように、履歴記憶部２３５は、ビーコン端末６のビーコンＩＤと、ビーコン端末６のビーコン電波を受信したときの状況情報とを対応付けた履歴情報を記憶する。
図６に戻り、Ｂｌｕｅｔｏｏｔｈアンテナ４１は、ビーコン端末６の他、ビーコン端末７との間でＢｌｕｅｔｏｏｔｈ規格に基づいて短距離無線通信が可能である。
【００３０】
＜ビーコン端末２０７＞
ビーコン端末２０７は、本実施形態では、ユーザＰの家の玄関ドアＤに取り付ける端末である。
ビーコン端末２０７は、制御部２７０と、記憶部２７５と、電波送出部２７７とを備える。
制御部２７０、記憶部２７５及び電波送出部２７７は、ビーコン端末６の制御部６０、記憶部６５及び電波送出部６７と同じであるので、説明を省略する。
【００３１】
＜携帯品検査処理＞
次に、携帯情報端末２０１による携帯品検査処理について説明する。
この処理は、携帯情報端末２０１を携行したユーザＰが、外出時等に玄関ドアＤに近づいた際に、携帯品の情報を収集することで携帯品検査を行うものである。
図８は、第２実施形態に係る携帯情報端末２０１の携帯品検査処理を示すフローチャートである。
図９及び図１０は、第２実施形態に係る携帯情報端末２０１での表示例を示す図である。
図１１は、第２実施形態に係る携帯情報端末２０１の携帯品リスト変更処理を示すフローチャートである。
【００３２】
図８のＳ２１０において、携帯情報端末２０１の制御部２１０（受信部２１１）は、開始用ビーコンテーブル２３３を参照して、ビーコン端末２０７のビーコン電波を受信したか否かを判断する。具体的には、制御部２１０がＢｌｕｅｔｏｏｔｈアンテナ４１を介してビーコン電波を受信したときに、制御部２１０は、受信したビーコン電波に、開始用ビーコンテーブル２３３に含まれるビーコンＩＤを含むか否かによって判断できる。ビーコン端末２０７のビーコン電波を受信した場合（Ｓ２１０：ＹＥＳ）には、制御部２１０は、処理をＳ２１１に移す。他方、ビーコン端末２０７のビーコン電波を受信していない場合（Ｓ２１０：ＮＯ）には、制御部２１０は、ビーコン端末２０７のビーコン電波を受信するまで、本処理で待機する。
【００３３】
Ｓ２１１において、制御部２１０（状況取得部１２）は、ビーコン端末２０７のビーコン電波を受信したときの状況情報を取得する。
Ｓ２１２において、制御部２１０（条件判定部１３）は、携帯品リスト３４に、Ｓ２１１で取得した状況情報を含むか否かを判断する。
なお、この携帯品リスト３４は、後述する携帯品リスト作成処理（図１２参照）によって作成される。そのため、最初は、携帯品リスト３４は、その中身がなくてもよい。
取得した状況情報を含む場合（Ｓ２１２：ＹＥＳ）には、制御部２１０は、処理をＳ２１３に移す。他方、取得した状況情報を含まない場合（Ｓ２１２：ＮＯ）には、制御部２１０は、処理をＳ２３０に移す。
【００３４】
Ｓ２１３において、制御部２１０（受信部２１１）は、所持品テーブル３２に記憶されたビーコンＩＤを含むビーコン電波を受信したか否かを判断する。該当のビーコン電波を受信した場合（Ｓ２１３：ＹＥＳ）には、制御部２１０は、処理をＳ２１４に移す。他方、該当のビーコン電波を受信しなかった場合（Ｓ２１３：ＮＯ）には、制御部２１０は、処理をＳ２２０に移す。なお、該当のビーコン電波を受信しなかった場合とは、ユーザＰがいつもの所持品５の全てを所持していない場合である。
Ｓ２１４において、制御部２１０（履歴更新部２１５）は、ビーコン電波に含まれるビーコンＩＤと、Ｓ２１１で取得した状況情報とを対応付けた履歴情報を、履歴記憶部２３５に追加する。制御部２１０は、複数のビーコン電波を受信した場合には、各ビーコン電波に含まれるビーコンＩＤを対応付ける。よって、図７（Ｂ）に示すように、履歴記憶部２３５には、１つの状況情報に対して複数のビーコンＩＤが対応付けられることがある。
【００３５】
図８に戻り、Ｓ２１５において、制御部２１０（条件結果部２１６）は、携帯品リスト３４を参照し、該当する状況情報に対応しないビーコンＩＤを含むビーコン電波を受信したか否かを判断する。これは、携帯品リスト３４の該当の状況情報に対応するビーコンＩＤとは異なるビーコンＩＤであって、所持品テーブル３２に含まれるビーコンＩＤの電波を受信したか否かを判断する。つまり、この処理でＹＥＳと判断されるのは、いつもの（状況情報が合致する）所持品５よりも多くの所持品５や、異なる所持品５を、ユーザＰが携行している場合である。該当の状況情報に対応しないビーコンＩＤを含むビーコン電波を受信した場合（Ｓ２１５：ＹＥＳ）には、制御部２１０は、処理をＳ２１６に移す。他方、該当の状況情報に対応しないビーコンＩＤを含むビーコン電波を受信していない場合（Ｓ２１５：ＮＯ）には、制御部２１０は、処理をＳ２１８に移す。
【００３６】
Ｓ２１６において、制御部２１０（通知部２１６ａ）は、携帯品リスト３４の該当の状況情報に対応しないビーコンＩＤの所持品名を、所持品テーブル３２を参照して抽出し、通知情報を生成する。そして、制御部２１０（通知部２１６ａ、所持品表示制御部１７）は、生成した通知情報を、タッチパネルディスプレイ４０に出力する。
図９（Ａ）は、タッチパネルディスプレイ４０に出力された通知情報画面４０ａの例を示す。通知情報画面４０ａには、いつもとは異なる所持品５の所持品名を表示することで、ユーザＰがいつもとは異なる所持品５を有しているということがわかるようになっている。そして、所持品５を確認するだけで終わりにするか、この所持品５を新たな携帯品として、携帯品リスト３４に追加するかを指定できるようになっている。
図８に戻り、Ｓ２１７において、制御部２１０は、後述する携帯品リスト変更処理（図１１参照）を行う。
【００３７】
Ｓ２１８において、制御部２１０（条件結果部２１６）は、携帯品リスト３４を参照し、該当の状況情報に対応するビーコンＩＤを含むビーコン電波を受信しなかったか否かを判断する。これは、携帯品リスト３４の該当の状況情報に対応するビーコンＩＤの電波を受信しなかったことであり、いつもの所持品５をユーザＰが携行していない場合である。該当の状況情報に対応するビーコンＩＤを含むビーコン電波を受信しなかった場合（Ｓ２１８：ＹＥＳ）には、制御部２１０は、処理をＳ２２０に移す。他方、該当の状況情報に対応するビーコンＩＤを含むビーコン電波を受信した場合（Ｓ２１８：ＮＯ）には、制御部２１０は、本処理を終了する。
【００３８】
Ｓ２２０において、制御部２１０（報知部１６ｂ）は、携帯品リスト３４の該当の状況情報に対応するビーコンＩＤであって、ビーコン電波に含まれないビーコンＩＤの所持品名を、所持品テーブル３２を参照して抽出し、報知情報を生成する。この報知情報に含む所持品名は、所持していない、つまり、不足した所持品名である。
そして、制御部２１０（報知部１６ｂ、所持品表示制御部１７）は、生成した報知情報を、タッチパネルディスプレイ４０に出力する。
【００３９】
ここで、報知とは、ユーザＰに注意を与え知らせることをいう。また、通知とは、ユーザＰに対してお知らせをすることをいう。よって、この例では、報知の場合には、音やバイブレーションの機能（図示せず）を使用可能にしている。
図１０（Ａ）は、タッチパネルディスプレイ４０に出力された報知情報画面４０ｅの例を示す。報知情報画面４０ｅは、いつも携行しているが、今回は携行をしていない所持品５の所持品名を表示する画面である。そして、所持品名を確認して終わりにするか、その所持品名に対応する所持品５を、報知不要な携帯品として、携帯品リスト３４から削除するかを指定できるようになっている。
図８に戻り、Ｓ２２１において、制御部２１０は、携帯品リスト変更処理を行う。
【００４０】
ここで、携帯品リスト変更処理について、図１１に基づき説明する。
図１１のＳ２４０において、制御部２１０は、直近の処理によって出力したものが通知情報であるか否かを判断する。図８のＳ２１７の処理から呼び出された場合は、通知情報である。通知情報である場合（Ｓ２４０：ＹＥＳ）には、制御部２１０は、処理をＳ２４１に移す。他方、通知情報ではない場合（Ｓ２４０：ＮＯ）には、制御部２１０は、処理をＳ２４５に移す。なお、通知情報ではない場合とは、図８のＳ２２１の処理から呼び出された場合であり、報知情報を出力した場合である。
【００４１】
Ｓ２４１において、制御部２１０は、携帯品リスト３４への追加が指示されたか否かを判断する。例えば、図９（Ａ）の通知情報画面４０ａにおいて、ボタン４０ｂが選択され、図９（Ｂ）の追加確認画面４０ｃにおいて、ボタン４０ｄが選択されることで、制御部２１０は、携帯品リスト３４への追加が指示されたと判断する。携帯品リスト３４への追加が指示された場合（Ｓ２４１：ＹＥＳ）には、制御部２１０は、処理をＳ２４２に移す。他方、携帯品リスト３４への追加が指示されていない場合（Ｓ２４１：ＮＯ）には、制御部２１０は、本処理を終了し、図８に移す。なお、携帯品リスト３４への追加が指示されていない場合とは、例えば、図９（Ａ）又は（Ｂ）において、「キャンセル」ボタンが選択された場合である。
Ｓ２４２において、制御部２１０（条件更新部２１６ｃ）は、携帯品リスト３４に対する追加処理を行う。具体的には、制御部２１０は、携帯品リスト３４の状況情報に対応付けて、該当のビーコンＩＤを追加する。その後、制御部２１０は、本処理を終了し、処理を図４に移す。
【００４２】
他方、Ｓ２４５において、制御部２１０は、携帯品リスト３４からの削除が指示されたか否かを判断する。例えば、図１０（Ａ）の報知情報画面４０ｅにおいて、ボタン４０ｆが選択され、図１０（Ｂ）の削除確認画面４０ｇにおいて、ボタン４０ｈが選択されることで、制御部２１０は、携帯品リスト３４からの削除が指示されたと判断する。携帯品リスト３４からの削除が指示された場合（Ｓ２４５：ＹＥＳ）には、制御部２１０は、処理をＳ２４６に移す。他方、携帯品リスト３４からの削除が指示されていない場合（Ｓ２４５：ＮＯ）には、制御部２１０は、本処理を終了し、図８に移す。なお、携帯品リスト３４からの削除が指示されていない場合とは、例えば、図１０（Ａ）において、「ＯＫ」ボタンが選択された場合、又は、図１０（Ｂ）において、「キャンセル」ボタンが選択された場合である。
Ｓ２４６において、制御部２１０（条件更新部２１６ｃ）は、携帯品リスト３４に対する削除処理を行う。具体的には、制御部２１０は、携帯品リスト３４の状況情報に対応付いた該当のビーコンＩＤを削除する。その後、制御部２１０は、本処理を終了し、処理を図８に移す。
【００４３】
図８に戻り、その後、制御部２１０は、本処理を終了する。
他方、Ｓ２３０において、制御部２１０（受信部２１１）は、所持品テーブル３２に記憶されたビーコンＩＤを含むビーコン電波を受信したか否かを判断する。ビーコン電波を受信した場合（Ｓ２３０：ＹＥＳ）には、制御部２１０は、処理をＳ２３１に移す。他方、ビーコン電波を受信しなかった場合（Ｓ２３０：ＮＯ）には、制御部２１０は、本処理を終了する。
Ｓ２３１において、制御部２１０（履歴更新部２１５）は、ビーコン電波に含まれるビーコンＩＤと、状況情報とを対応付けた履歴情報を、履歴記憶部２３５に追加する。その後、制御部２１０は、本処理を終了する。
【００４４】
Ｓ２３０とＳ２３１との処理は、制御部２１０が、開始用ビーコンテーブル２３３に記憶されたビーコンＩＤを含むビーコン電波を受信後に、携帯品リスト３４に記憶された状況情報に該当しない状況の下で、所持品テーブル３２に記憶されたビーコンＩＤを含むビーコン電波を受信した場合である。そのような場合には、制御部２１０は、履歴情報を履歴記憶部２３５に記憶させる。このようにすることで、記憶した履歴情報を、後述の図１２で説明する携帯品リスト作成処理において携帯品リスト３４を作成するための情報にできる。
なお、制御部２１０は、本処理を終了する際に、忘れ物防止プログラム２３１の実行を終了させてもよい。
【００４５】
＜携帯品リスト作成処理＞
次に、携帯情報端末２０１による携帯品リスト作成処理について説明する。この処理は、忘れ物防止プログラム２３１が実行中に、適宜のタイミングで行われる。
図１２は、第２実施形態に係る携帯情報端末２０１の携帯品リスト作成処理を示すフローチャートである。
図１３は、第２実施形態に係る携帯品リスト作成処理を説明するための図である。
図１２のＳ２５０において、制御部２１０は、携帯品リスト３４の作成条件か否かを判断する。携帯品リスト３４の作成条件としては、例えば、履歴記憶部２３５に記憶され、携帯品リスト３４の作成に使用されていない履歴情報が一定数になった場合や、所定日数が経過した場合等が考えられる。携帯品リスト３４の作成条件である場合（Ｓ２５０：ＹＥＳ）には、制御部２１０は、処理をＳ２５１に移す。他方、携帯品リスト３４の作成条件ではない場合（Ｓ２５０：ＮＯ）には、制御部２１０は、本処理を終了する。
【００４６】
Ｓ２５１において、制御部２１０（条件作成部２１８）は、履歴記憶部２３５から携帯品リスト３４の作成に用いる履歴情報を抽出する。
Ｓ２５２において、制御部２１０（条件作成部２１８）は、抽出した履歴情報のうち同一のビーコンＩＤが対応付けられている状況情報を分析する。
Ｓ２５３において、制御部２１０（条件作成部２１８）は、分析結果に基づき、新たな状況情報を作成したか否かを判断する。例えば、分析した結果、携帯品リスト３４にない状況情報が所定数以上あるときに、制御部２１０は、新たな状況情報を作成する。新たな状況情報を作成した場合（Ｓ２５３：ＹＥＳ）には、制御部２１０は、処理をＳ２５４に移す。他方、新たな状況情報を作成しなかった場合（Ｓ２５３：ＮＯ）には、制御部２１０は、本処理を終了する。
Ｓ２５４において、制御部２１０（条件作成部２１８）は、作成した新たな状況情報と、ビーコンＩＤとを対応付けて、携帯品リスト３４を更新する。その後、制御部２１０は、本処理を終了する。
【００４７】
図１３（Ａ）は、履歴記憶部２３５に記憶された履歴情報の例を示す。制御部２１０は、図１３（Ａ）の履歴記憶部２３５から、同一のビーコンＩＤである履歴情報を抽出する。例えば、レコード２３５ａ〜２３５ｄは、同一のビーコンＩＤのレコードであるので、制御部２１０は、これらを抽出する。そして、このレコード２３５ａ〜２３５ｄの状況情報を分析すると、これらは、いずれも水曜日の８：３０前後であることが分かる。よって、制御部２１０は、状況情報として、「水曜日  ８：３０前後」を新たに作成する。そして、制御部２１０は、例えば、図１３（Ｂ）に示す携帯品リスト３４に、レコード（＃１）を追加して更新する。
【００４８】
このように、第２実施形態の忘れ物防止システム２００によれば、以下のような効果がある。
（１）携帯情報端末２０１は、履歴記憶部２３５の履歴情報から携帯品検査のための状況情報を作成して、携帯品リスト３４を更新できる。
よって、過去の履歴に基づいて、様々な状況に応じた携帯品リスト３４を、自動的に生成できる。
（２）携帯情報端末２０１は、ビーコン端末６のビーコン電波を受信した場合に、ビーコンＩＤと受信したときの状況情報とを対応付けた履歴情報を、履歴記憶部２３５に追加する。よって、履歴記憶部２３５には、様々な履歴情報を蓄積できる。結果として、自動的に携帯品リスト３４が作成できる。
【００４９】
（３）携帯情報端末２０１は、取得した状況情報を携帯品リスト３４が有する場合には、所持品５を携行しているか否かの検査対象にできる。
よって、ビーコン端末６のビーコン電波を受信したときの状況が、携帯品リスト３４に記憶された状況情報と同じ場合には、携帯品検査を行うことによって、忘れ物の有無を確認できる。
【００５０】
（４）携帯情報端末２０１は、他のビーコンＩＤを受信した場合に、他のビーコンＩＤに対応する所持品５が分かる態様で通知する。よって、ユーザＰに他のビーコンに対応する所持品５を、携帯品リスト３４に追加させるか否かを判断させることができる。
（５）ユーザＰによる指示により、携帯情報端末２０１は、携帯品リスト３４に、他のビーコンＩＤをさらに対応付けて記憶できる。そのため、携帯品リスト３４に関するメンテナンスができる。そして、ユーザＰに携帯品リスト３４の更新有無を選択させるので、不要な携帯品リスト３４の作成を回避でき、携帯品リスト３４を、真に必要な情報のみにできる。
【００５１】
（６）携帯情報端末２０１は、玄関ドアＤに取り付けられたビーコン端末２０７のビーコン電波を受信したことで、所持品５に設けられたビーコン端末６のビーコン電波を受信したか否かによって、携帯品を所持しているか否かを判定する。よって、ビーコン電波を受信可能なＢｌｕｅｔｏｏｔｈアンテナ４１を有する携帯情報端末２０１であればよく、簡易な処理で携帯品の検査ができる。
【００５２】
（第３実施形態）
第３実施形態では、情報サーバからの情報を用いて所持品の携行の有無を確認するものを説明する。また、確認は、ユーザが携帯情報端末を装着している間に行うものとする。
【００５３】
＜忘れ物防止システム３００＞
図１４は、第３実施形態に係る忘れ物防止システム３００の全体概要図である。
図１５は、第３実施形態に係る忘れ物防止システム３００の各装置の機能ブロック図である。
図１４及び図１５に示す忘れ物防止システム３００は、ユーザＰが携帯情報端末３０１を装着中に、携帯品を検査するものである。また、忘れ物防止システム３００は、情報サーバ３０８から取得した情報を状況情報にして、携帯情報端末３０１に対して報知を行うものである。
図１５に示すように、忘れ物防止システム３００は、携帯情報端末３０１と、所持品５に取り付けられたビーコン端末６と、情報サーバ３０８とを備える。
【００５４】
＜携帯情報端末３０１＞
携帯情報端末３０１は、ユーザＰが装着して使用する、いわゆる「ウエアラブル端末」である。
携帯情報端末３０１は、制御部３１０と、記憶部３３０と、タッチパネルディスプレイ４０と、Ｂｌｕｅｔｏｏｔｈアンテナ４１と、ＧＰＳ（Ｇｌｏｂａｌ  Ｐｏｓｉｔｉｏｎｉｎｇ  Ｓｙｓｔｅｍ）アンテナ３４３と、センサ部３４５と、通信インタフェース部３４９とを備える。
制御部３１０は、受信部３１１と、状況取得部３１２（状況取得手段、外部状況取得手段）と、条件判定部１３と、履歴更新部２１５と、条件結果部２１６と、所持品表示制御部１７と、条件作成部２１８とを備える。
受信部３１１は、センサ部３４５によりユーザＰによる携帯情報端末３０１の装着を検知した場合に、ビーコン端末６のビーコン電波の受信を開始する。
状況取得部３１２は、受信部３１１が開始したときの状況情報を取得する。状況情報は、情報サーバ３０８から取得する情報を含む。
【００５５】
記憶部３３０は、忘れ物防止プログラム３３１と、所持品テーブル３２と、携帯品リスト３４と、履歴記憶部２３５とを備える。
忘れ物防止プログラム３３１は、携帯情報端末３０１の制御部３１０が実行する各種機能を実行するためのプログラムである。
ＧＰＳアンテナ３４３は、ＧＰＳ衛星（図示せず）によって送信されるＧＰＳ信号を受信するアンテナである。ＧＰＳアンテナ３４３は、受信したＧＰＳ信号を、状況取得部３１２に送る。
センサ部３４５は、携帯情報端末３０１がユーザＰによって装着中か否かの判断に使用する。センサ部３４５は、例えば、脈拍を測定する生体センサである。
通信インタフェース部３４９は、無線通信の基地局Ｂ及び通信ネットワークＮを介して情報サーバ３０８との通信を行うためのインタフェースである。
【００５６】
＜所持品５＞
所持品５は、図１４に示す例では、定期入れ５Ａ、財布５Ｂ、キーケース５Ｃ、傘５Ｅである。傘５Ｅには、ビーコン端末６Ｅが取り付けられている。
【００５７】
＜情報サーバ３０８＞
情報サーバ３０８は、例えば、天気に関する情報を有するサーバである。
情報サーバ３０８は、制御部３８０と、記憶部３８５と、通信インタフェース部３８９とを備える。
制御部３８０は、情報サーバ３０８の全体を制御するＣＰＵである。制御部３８０は、記憶部３８５に記憶されているＯＳやアプリケーションプログラムを適宜読み出して実行することにより、上述したハードウェアと協働し、各種機能を実行する。
記憶部３８５は、制御部３８０が各種の処理を実行するために必要なプログラム、データ等を記憶するためのハードディスクや半導体メモリ素子等の記憶領域である。
通信インタフェース部３８９は、通信ネットワークＮを介して携帯情報端末３０１との通信を行うためのインタフェースである。
【００５８】
基地局Ｂは、携帯情報端末３０１と情報サーバ３０８との間の通信をするための中継を行う。基地局Ｂは、例えば、無線ＬＡＮ（Ｌｏｃａｌ  Ａｒｅａ  Ｎｅｔｗｏｒｋ）の基地局や、通信事業者の携帯端末通信網用の基地局等である。
また、通信ネットワークＮは、情報サーバ３０８と基地局Ｂとの間のネットワークであり、インターネット回線や携帯端末通信網等である。
【００５９】
＜携帯品検査処理＞
次に、携帯情報端末３０１による携帯品検査処理について説明する。
この処理は、ユーザＰが携帯情報端末３０１を装着している間に、所定のタイミング（例えば、５分おき等）で実行して、携帯品の情報を収集することで携帯品検査を行うものである。
図１６は、第３実施形態に係る携帯情報端末３０１の携帯品検査処理を示すフローチャートである。
図１７は、第３実施形態に係る携帯情報端末３０１の状況情報取得処理を示すフローチャートである。
図１８は、第３実施形態に係る携帯情報端末３０１の記憶部３３０の例を示す図である。
本処理の前提として、携帯情報端末３０１は、忘れ物防止プログラム３３１を起動させた状態である。
なお、センサ部３４５によって、携帯情報端末３０１の装着を検知した場合に、制御部３１０は、忘れ物防止プログラム３３１を起動させてもよい。
【００６０】
図１６のＳ３１０において、携帯情報端末３０１の制御部３１０（受信部３１１）は、センサ部３４５により装着を検知したか否かを判断する。例えば、センサ部３４５が検出した脈拍が所定範囲であれば、制御部３１０は、携帯情報端末３０１がユーザＰにより装着中であると判断できる。センサ部３４５により装着を検知した場合（Ｓ３１０：ＹＥＳ）には、制御部３１０は、処理をＳ３１１に移す。他方、センサ部３４５により装着を検知していない場合（Ｓ３１０：ＮＯ）には、制御部３１０は、センサ部３４５により装着を検知するまで、本処理で待機する。
【００６１】
Ｓ３１１において、制御部３１０（状況取得部３１２）は、状況情報取得処理を行う。状況情報取得処理は、センサ部３４５により装着を検知したときの状況情報を取得する処理である。
ここで、状況情報取得処理について、図１７に基づき説明する。
図１７のＳ３６０において、制御部３１０（状況取得部３１２）は、ＧＰＳアンテナ３４３から受信した緯度経度データによって、携帯情報端末３０１の位置情報を取得する。
Ｓ３６１において、制御部３１０は、取得した位置情報を、情報サーバ３０８に送信する。
Ｓ３６２において、制御部３１０（状況取得部３１２）は、送信した位置情報に基づく天気情報を、情報サーバ３０８から受信する。この処理によって、制御部３１０は、ユーザＰの位置情報に対応した天気情報を受信できる。
Ｓ３６３において、制御部３１０（状況取得部３１２）は、日時情報を取得する。日時情報は、例えば、日時及び曜日に関する情報である。その後、制御部３１０は、本処理を終了し、図１６に移す。
【００６２】
図１６に戻り、Ｓ３１２からＳ３３１までの処理は、図８（第２実施形態）と同様である。
図１８（Ａ）は、所持品テーブル３２の例を示す。ビーコン端末６が取り付けられているユーザＰの所持品５は、「定期入れ」、「財布」、「キーケース」、「傘」である。
図１８（Ｂ）は、図１６の携帯品検査処理によって作成された履歴情報を記憶した履歴記憶部２３５の例を示す。状況情報として、日時情報の他、情報サーバ３０８から取得した外部情報と、位置情報とを有する。
なお、携帯情報端末３０１による携帯品リスト作成処理は、図１２（第２実施形態）と同様である。
図１８（Ｃ）は、携帯品リスト作成処理によって作成された携帯品リスト３４の例を示す。
【００６３】
図１６に記載の携帯品検査処理によって、例えば、外部情報として「雨」を取得した場合、ユーザＰが傘５Ｅを所持していなければ、携帯品リスト３４を参照して、傘５Ｅを所持していないという報知情報が生成されて出力される（Ｓ３２０）。また、この携帯品検査処理は、ユーザＰが携帯情報端末２０１を装着中は、所定のタイミングで実行されて、携帯品の情報を収集することで、携帯品検査を行う。そのため、制御部３１０は、例えば、傘５Ｅを外出の途中で置き忘れた場合であっても、傘５Ｅを忘れているという報知情報を生成して出力でき、置き忘れを防止できる。なお、この場合は、携帯情報端末３０１をユーザＰが外すまで、制御部３１０は、装着時の携帯品を、携帯品リスト３４にして記憶部３３０に記憶させることで実現できる。
【００６４】
このように、第３実施形態の忘れ物防止システム３００によれば、以下のような効果がある。
（１）携帯情報端末３０１は、ビーコン端末６からのビーコン電波の受信を開始するタイミングを、センサ部３４５により装着を検知した場合にできる。よって、外出時等、携帯情報端末３０１を装着した場合に、携帯品リスト３４にあるビーコンＩＤに対応付けられたビーコン端末６が取り付けられた所持品５を有するか否かを判断できるため、より有効な忘れ物の検査を行うことができる。
（２）携帯情報端末３０１をユーザＰが装着中は、携帯品検査を常時行うことができるので、携帯情報端末３０１によって、所持品５の置き忘れをも防止できる。
【００６５】
（３）携帯情報端末３０１は、情報サーバ３０８と通信することで、情報サーバ３０８が有する外部情報を、状況情報として活用できる。よって、より多様な携帯品検査を行うことができる。
（４）携帯情報端末３０１は、ＧＰＳアンテナ３４３を有し、位置情報を取得できる。そのため、位置情報を、状況情報として活用できる。また、履歴記憶部２３５に記憶される履歴情報に、位置情報を含んで記憶するので、履歴情報から最後に携行していた位置情報を出力することで、所持品５を置き忘れた場所を特定することができる。
【００６６】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００６７】
（変形形態）
（１）各実施形態では、所持品にビーコン端末を設けるものを説明したが、これに限定されない。電波を発信するものであればよく、例えば、ＩＣ（Ｉｎｔｅｇｒａｔｅｄ  Ｃｉｒｃｕｉｔ）タグ等であってもよい。
（２）第２及び第３実施形態では、携帯品リスト作成処理について、自動的に携帯品リストを更新するものとして説明したが、これに限定されない。携帯品リストを作成した後に、作成した携帯品リストを表示し、ユーザに選択させてもよい。これにより、ユーザは、自身で携帯品リストを作成する手間を省き、かつ、適切な携帯品リストを運用できる。
（３）第２及び第３実施形態では、状況情報を分析した結果に基づいて新たな状況情報を作成して携帯品リストを更新するものを説明したが、これに限定されない。状況情報だけでなく、ビーコンＩＤを含めた情報から携帯品リストを更新するデータを作成してもよい。
【００６８】
（４）各実施形態では、携帯情報端末によって処理を行うものを説明した。しかし、記憶部に記憶されたプログラム以外のテーブル等を外部の管理サーバ等（図示せず）に有するようにし、携帯情報端末は、ビーコン電波に含まれるビーコンＩＤと、状況情報とを、携帯情報端末を識別するものとして端末ＩＤと共に管理サーバに送信することで、管理サーバで処理を行ってもよい。
（５）第２実施形態では、玄関ドアにビーコン端末を取り付けて、ビーコン電波を受信した場合に、携帯品検査処理を行うものとして説明したが、これに限定されない。外出時を特定できればよく、例えば、門にビーコン端末を取り付けてもよい。また、外出時以外に、携帯品検査処理を行ってもよい。例えば、オフィスの自席にビーコン端末を取り付けて、ビーコン電波を受信できなくなった場合に、携帯品検査処理を行ってもよい。
（６）第３実施形態では、位置情報をＧＰＳにより取得するものとして説明した。しかし位置情報は、ユーザが手入力した住所等であってもよい。
【符号の説明】
【００６９】
１，２０１，３０１  携帯情報端末
５    所持品
６，６Ａ〜６Ｅ，２０７  ビーコン端末
１０，２１０，３１０  制御部
１１，２１１，３１１  受信部
１２，２１２，３１２  状況取得部
１３  条件判定部
１６，２１６  条件結果部
１６ｂ  報知部
１６ｃ，２１６ｃ  条件更新部
１７  所持品表示制御部
３０，２３０，３３０  記憶部
３１，２３１，３３１  忘れ物防止プログラム
３２  所持品テーブル
３４  携帯品リスト
４０  タッチパネルディスプレイ
４１  Ｂｌｕｅｔｏｏｔｈアンテナ
１００，２００，３００  忘れ物防止システム
２１５  履歴更新部
２１６ａ  通知部
２１８  条件作成部
２３３  開始用ビーコンテーブル
２３５  履歴記憶部
３０８  情報サーバ
３４３  ＧＰＳアンテナ
３４５  センサ部
Ｎ    通信ネットワーク
【図１】
2017049668.tif 000003
【図２】
2017049668.tif 000004
【図３】
2017049668.tif 000005
【図４】
2017049668.tif 000006
【図５】
2017049668.tif 000007
【図６】
2017049668.tif 000008
【図７】
2017049668.tif 000009
【図８】
2017049668.tif 000010
【図９】
2017049668.tif 000011
【図１０】
2017049668.tif 000012
【図１１】
2017049668.tif 000013
【図１２】
2017049668.tif 000014
【図１３】
2017049668.tif 000015
【図１４】
2017049668.tif 000016
【図１５】
2017049668.tif 000017
【図１６】
2017049668.tif 000018
【図１７】
2017049668.tif 000019
【図１８】
2017049668.tif 000020